(57)【要約】      （修正有）【課題】灰皿の開口操作が容易で灰や吸い殻の投入と排出がスムースになされ、煙草箱の大きさを変える必要がないため自動販売機に設置可能な煙草箱と箱灰皿の組み合わせ構造を提供する。【解決手段】縦長で厚みが横幅の二分の一程度の直方体である本体１０の頂部に抑え蓋２０を備えた箱灰皿Ａと箱灰皿を装填する収納スペースを設けた通常の大きさである煙草箱で構成する。箱灰皿Ａの本体１０及び抑え蓋２０の内面全体にアルミ箔３０が貼着され、本体１０上部に、上面部１２・両側部１３・前面部１４からなる屈曲自在な灰落とし部１１が形成され、煙草箱の収納スペースの横側上部を欠切し、屈曲した箱灰皿Ａの灰落とし部１１を突出可能にした。【選択図】図２
0003114019.tif 000002
【実用新案登録請求の範囲】
【請求項１】
縦長で厚みが横幅の二分の一程度の直方体である本体の頂部に抑え蓋を備えた箱灰皿と該箱灰皿を装填する収納スペースを設けた通常の大きさである煙草箱からなる煙草箱と箱灰皿の組み合わせ構造であって、箱灰皿の本体及び抑え蓋の内面全体にアルミ箔が貼着され、本体上部に、上面部・両側部・前面部からなる屈曲自在な灰落とし部が形成され、しかして煙草箱の前記収納スペースの横側上部を欠切して、屈曲した箱灰皿の灰落とし部を突出可能にしたことを特徴とする煙草箱と箱灰皿の組み合わせ構造。
【請求項２】
箱灰皿は煙草２〜３本分の容量を有し、煙草箱の収納スペース内に装填後収納スペースから取り出しすることもできることを特徴とする請求項１に記載の煙草箱と箱灰皿の組み合わせ構造。
【請求項３】
煙草箱の収納スペースは煙草２〜３本分に相当する容積を有し、煙草箱は通常の煙草の本数よりも２本少ない煙草を収納することを特徴とする請求項１に記載の煙草箱と箱灰皿の組み合わせ構造。
【請求項４】
煙草の直径を通常の煙草径よりも細くして、煙草箱に２０本の煙草を収納可能とすることを特徴とする請求項１又は２に記載の煙草箱と箱灰皿の組み合わせ構造。
【請求項５】
縦長で厚みが横幅の二分の一程度の直方体である本体の頂部に抑え蓋を備えた箱灰皿と通常の煙草箱からなる煙草箱と箱灰皿の組み合わせ構造であって、箱灰皿の本体及び抑え蓋の内面全体にアルミ箔が貼着され、本体上部に、上面部・両側部・前面部からなる屈曲自在な灰落とし部が形成され、本体後面に両面テープを接着し、該両面テープに貼付した剥離紙を剥がすと煙草箱側面に箱灰皿を取り付けできることを特徴とする煙草箱と箱灰皿の組み合わせ構造。
【考案の詳細な説明】
【技術分野】
【０００１】  本考案は、所定数の煙草を収納した煙草箱と箱灰皿を組み合わせ、自動販売機にも設置可能とした煙草箱と箱灰皿の組み合わせ構造に関する。
【背景技術】
【０００２】  いわゆる煙草のぽい捨て防止のためにポケット・バッグ等に収納できる携帯型灰皿は従来から存在し、また煙草箱に灰皿を取り付けた携帯灰皿付き煙草パッケージも知られている（例えば特許文献１参照）。
【特許文献１】  特開２００１−２７５６４３号公報
【考案の開示】
【考案が解決しようとする課題】
【０００３】  特許文献１に記載のものは、既存の自動販売機に投入可能な寸法であるとしているが、その構成は、煙草パッケージと携帯灰皿パッケージとが連結部を介して一体に形成され、連結部にはミシン目と穴を又は切り溝を備え、ミシン目又は切り溝に沿って携帯灰皿パッケージの開口部を折り畳み、吸い殻を落ちこぼれなくすることを特徴としている。つまりこの従来品は、煙草パッケージと携帯灰皿パッケージの間には連結部の存在を不可欠とし煙草パッケージと連結部及び携帯灰皿パッケージとが横方向に並置されるためその分のスペースを要し、したがって自動販売機のような限られた空間内では事実上設置が難しいという問題がある。【０００４】  また上記従来品は、携帯灰皿パッケージが平板状に形成され、上端口部は密着して閉塞されているため吸い殻の投入時には密着部分を引き離して一々開口しなければならないといった面倒な手間がかゝるのと、投入された灰や吸い殻をこぼれ落ちないようにするには開口部を折り曲げたりファスナーを用いて閉塞するといった手数を要するとともに、灰・吸い殻を排出する際にも上端口部を投入時同様に開口する必要があった。【０００５】  本考案はこのような従来技術に鑑みてなされたもので、煙草箱の大きさを変えることなく形成できるため自動販売機に確実に設置でき、灰皿の開口操作が容易で灰や吸い殻の投入及び排出がスムースになされ、煙草箱が空になった場合は灰皿を煙草箱から取り出して単独で使用することもでき、更には今までの煙草箱に取り付けて使用することもできる煙草箱と箱灰皿の組み合わせ構造を提供することを目的としている。
【課題を解決するための手段】
【０００６】  すなわち本考案は、縦長で厚みが横幅の二分の一程度の直方体である本体の頂部に抑え蓋を備えた箱灰皿と、該箱灰皿を装填する収納スペースを設けた通常の大きさである煙草箱からなる煙草箱と箱灰皿の組み合わせ構造であって、箱灰皿の本体及び抑え蓋の内面全体にアルミ箔が貼着され、本体上部に、上面部・両側部・前面部からなる屈曲自在な灰落とし部が形成され、しかして煙草箱の前記収納スペースの横側上部を欠切して、屈曲した箱灰皿の灰落とし部を突出可能にしたことを主旨としている。【０００７】  箱灰皿は煙草２〜３本分の容量を有し、煙草箱の収納スペース内に装填後収納スペースから取り出しすることもできることを特徴としている。【０００８】  煙草箱の収納スペースは煙草２〜３本分に相当する容積を有し、煙草箱は通常の煙草の本数よりも２本少ない煙草を収納することを特徴とする。【０００９】  また煙草の直径を通常の煙草よりも細くして、煙草箱に２０本の煙草を収納可能としてもよい。【００１０】  更に本考案は、縦長で厚みが横幅の二分の一程度の直方体である本体の頂部に抑え蓋を備えた箱灰皿と通常の煙草箱からなる煙草箱と箱灰皿の組み合わせ構造であって、箱灰皿の本体及び抑え蓋の内面全体にアルミ箔が貼着され、本体上部に、上面部・両側部・前面部からなる屈曲自在な灰落とし部が形成され、本体後面に両面テープを接着し、該両面テープに貼付した剥離紙を剥がすと煙草箱側面に箱灰皿を取り付けできることを技術手段としている。
【考案の効果】
【００１１】  本考案は箱灰皿を煙草箱に組み合わせたもので、従来品と異なって煙草箱全体の大きさは変わらず、煙草箱の一部に設けた収納スペースに箱灰皿を装填できる構成としてあるから自動販売機に確実にセットでき、購入者は煙草を買った時点でおのずから箱灰皿を手にするため、ぽい捨てをすることなく灰・吸い殻を箱灰皿内で処理でき、携帯用灰皿をわざわざ身につける不便が解消される。【００１２】  箱灰皿用の収納スペースを確保した分、煙草の本数は従来のものよりも２本減るが、箱灰皿を設けたことによって煙草購入者には箱灰皿を手にできるメリットも生ずるので料金を変えないでも販売ができるとともに、健康上の害や吸い殻の投げ捨て等が指摘されている現状にあって本数を減らした煙草の存在はむしろ好ましいといえる。但し煙草の径を細くして２０本入りとし、本数を減らさないことも可能である。【００１３】  箱灰皿は煙草箱の収納スペースから取り出すことができて繰り返し使用が可能であり、箱灰皿を有しない通常の２０本入り煙草を購入したときの煙草吸引時などにも役立てることができる。【００１４】  箱灰皿は例えば紙に不燃処理を施したものでよく、また内面にはアルミ箔を貼着しただけのものであるから安価に得られ、また使用済みとなった場合に処分が容易であり、煙草箱も、一部に収納スペースを形成しただけの簡易構造のため製作に煩わしい手数を要さずコストをかけないですみ、また収納スペースの横側下部は十分な余白面となるので文字などの印刷を施すことができる。【００１５】  箱灰皿は本体の上部に屈曲自在な灰落とし部を形成してあり、したがって抑え蓋を開いて灰落とし部を前方に屈曲すれば灰落とし部内面で灰のもみ消しと吸い殻の投入ができ、灰落とし部を元位置に戻し抑え蓋を閉じれば灰が外部にこぼれ出ることがなく良好な体裁を維持でき、また本体内の吸い殻等を外部へ捨てる場合は、灰落とし部を屈曲したまま本体を逆さにして少しく振るだけでよく、その場合箱灰皿を煙草蓋に取り付けたまゝでもできるが、箱灰皿を煙草箱から取り出すことにより一層排出作業が容易となる。【００１６】  本体後面に両面テープを接着した箱灰皿にあっては、剥離紙をはがすことにより露出した粘着部分で通常の煙草箱側面へ固定でき、煙草箱と箱灰皿を常に一体として携帯することができる。
【考案を実施するための最良の形態】
【００１７】  図１は不燃処理を施した紙製の箱灰皿Ａを煙草箱Ｂに装填した例を示すもので、箱灰皿Ａは直方体で縦長の本体１０と本体１０の頂部に配置した開閉自在の抑え蓋２０からなり箱灰皿Ａは上端面が煙草箱Ｂの上端面と面一状となり、横幅も煙草箱Ｂと略等しく、厚みは横幅の二分の一程度の大きさで、本体１０には煙草２本が入るだけの容量があり、したがって箱灰皿Ａを煙草箱Ｂに組み合わせても全体の大きさ・形状は通常の煙草箱と殆ど同じである。【００１８】  図２に示すように、箱灰皿Ａの本体１０と抑え蓋２０の内面全体にはアルミ箔３０が貼着されて灰や吸い殻の燃え残りであっても本体１０内に投入されれば完全に消火されるので火の不始末を生ずるおそれはない。しかして箱灰皿Ａの本体１０上部には、上面部１２・両側部１３・前面部１４からなる灰落とし部１１が形成されている。前面部１４の基部には折り線１５が形成され、この折り線１５を支点に灰落とし部１１が前方に屈曲自在となり、灰落とし部１１によって吸い終った煙草をもみ消しできるとともに灰や吸い殻は灰落とし部１１から本体１０の内部空間１６に落下させることができ、そして灰落とし部１１を元の位置に戻して抑え蓋２０をかぶせれば灰などが漏出するおそれもない。【００１９】  図３は上記箱灰皿Ａと組み合わさる煙草箱Ｂを示したもので、全体の大きさは通常市販のものと変わらないが、一部（図では手前側）に箱灰皿Ａを装填する収納スペース４０を設けている。このスペース４０は煙草４２が２〜３本入る容積を有し、したがって箱灰皿Ａの容量も煙草２〜３本分となっている。すなわち通常は７本・６本・７本の３列で合計２０本の煙草が収納されるところ、煙草箱Ｂに収納される煙草４２は１列９本で合計１８本となる。このため煙草箱Ｂの蓋体４１は当然ながら従来品よりも小形に形成されるが、構造・開閉方法は従来と特に変える必要はなく、なお収納スペース４０を形成しても煙草箱Ｂの両側は従来のものと構成上の相違はないが、箱灰皿Ａの灰落とし部１１を突出可能とするために、収納スペース４０の上部前側に欠切部４０’を形成する。なお煙草４２の重量は１本につき１ｇ程度であるため、１本当たりの直径を少しく細くすれば従来通り２０本入りとすることは可能となる。【００２０】  図４は本考案の他の例を示すもので、箱灰皿Ａは第１の実施形態同様、縦長で厚みが横幅の二分の一程度の直方体である本体１０の頂部に抑え蓋２０を備えたもので、全体が不燃処理を施した紙材からなり内面にはアルミ箔が貼着されており、本体１０の上部に前記した第１例と同様、上面部・両側部・前面部からなる屈曲自在の灰落とし部１１が形成され、本体１０の後面に両面テープ５０を接着している。そして両面テープ５０には剥離紙５１が貼付されているので剥離紙５１を剥がすことにより、通常の煙草箱Ｂの側面に箱灰皿Ａを取り付けることができる。したがってこの場合は箱灰皿Ａが煙草箱Ｂの側面に突出するので既設の自動販売機にそのまゝ設置はできないが、煙草箱Ｂに手を加える必要はないので加工手数がかゝらない。なおこの場合も屈曲した灰落とし部１１に吸い殻を押しつけて消火することは前記第１の例と同様であり、箱灰皿Ａから溜った灰・吸い殻を排出する手法も異���ることはない。なおこの場合の箱灰皿Ａは必ずしも煙草箱Ｂに貼着することなく、単独で使用してもよい。【００２１】  なお本考案では上記実施形態等で箱灰皿の素材・形状につき言及しているが、本考案の目的効果を奏する範囲において、その他の素材等をも包含することは勿論である。
【図面の簡単な説明】
【００２２】
【図１】  本考案の一例を示す概略斜視図である。
【図２】  箱灰皿を示し、（ａ）は斜視図、（ｂ）は断面図、（ｃ）は灰落とし部を屈曲した斜視図である。
【図３】  煙草箱を示し、（ａ）は斜視図、（ｂ）は蓋体を開けた側面図である。
【図４】  本考案の他の例を示し、（ａ）は箱灰皿、（ｂ）は通常の煙草箱に箱灰皿を固定した説明図である。
【符号の説明】
【００２３】  Ａ    箱灰皿
Ｂ    煙草箱
１０  本体
１１  灰落とし部
１２  上面部
１３  両側部
１４  前面部
１５  折り線
１６  内部空間
２０  抑え蓋
３０  アルミ箔
４０  収納スペース
４１  蓋体
４２  煙草
５０  両面テープ
５１  剥離紙
【図１】
0003114019.tif 000003
【図２】
0003114019.tif 000004
【図３】
0003114019.tif 000005
【図４】
0003114019.tif 000006
【手続補正書】
【提出日】平成17年6月8日(2005.6.8)
【手続補正１】
【補正対象書類名】実用新案登録請求の範囲
【補正対象項目名】全文
【補正方法】変更
【補正の内容】
【実用新案登録請求の範囲】
【請求項１】
縦長で厚みが横幅の二分の一程度の直方体である本体の頂部に抑え蓋を備えた箱灰皿と該箱灰皿を装填する収納スペースを設けた煙草箱からなる煙草箱と箱灰皿の組み合わせ構造であって、箱灰皿の本体及び抑え蓋の内面全体にアルミ箔が貼着され、本体上部に、上面部・両側部・前面部からなる屈曲自在な灰落とし部が形成され、しかして煙草箱の前記収納スペースの横側上部を欠切して、屈曲した箱灰皿の灰落とし部を突出可能にしたことを特徴とする煙草箱と箱灰皿の組み合わせ構造。
【請求項２】
箱灰皿は煙草２〜３本分の容量を有し、煙草箱の収納スペース内に装填後収納スペースから取り出しすることもできることを特徴とする請求項１に記載の煙草箱と箱灰皿の組み合わせ構造。
【請求項３】
煙草箱の収納スペースは煙草２〜３本分に相当する容積を有し、煙草箱は２本少ない煙草を収納することを特徴とする請求項１に記載の煙草箱と箱灰皿の組み合わせ構造。
【請求項４】
煙草の直径を細くして、煙草箱に２０本の煙草を収納可能とすることを特徴とする請求項１又は２に記載の煙草箱と箱灰皿の組み合わせ構造。
【請求項５】
縦長で厚みが横幅の二分の一程度の直方体である本体の頂部に抑え蓋を備えた箱灰皿と煙草箱からなる煙草箱と箱灰皿の組み合わせ構造であって、箱灰皿の本体及び抑え蓋の内面全体にアルミ箔が貼着され、本体上部に、上面部・両側部・前面部からなる屈曲自在な灰落とし部が形成され、本体後面に両面テープを接着し、該両面テープに貼付した剥離紙を剥がすと煙草箱側面に箱灰皿を取り付けできることを特徴とする煙草箱と箱灰皿の組み合わせ構造。